(57)【要約】【課題】屋内測位システムによる各地点の測位結果の信頼性を効率よく評価できるようにする。【解決手段】管理サーバが、屋内測位システムで測定された移動体の各時刻の測定位置情報を記憶部に蓄積し、発信機が配置された評価地点の位置に関する評価位置情報を取得し、発信機が評価地点に配置されていた評価時間に関する評価時間情報を取得し、評価時間情報に基づいて、記憶部に蓄積された各時刻の測定位置情報から、評価時間に含まれる時刻の測定位置情報を評価地点の測定位置情報として抽出し、評価地点の測定位置情報と評価位置情報とを比較して測定誤差を取得し、その測定誤差により測定位置情報の異常を判定し、その判定結果により評価地点での異常出現率を算出し、その異常出現率により評価地点が測位不良地点か否かを判定し、評価結果情報として、評価地点が測位不良地点か否かに関する情報を生成する。【選択図】図１１
2020041919.tif 000002
【特許請求の範囲】
【請求項１】
移動体に保持させた移動機と測位エリアに設置された固定機との間で測位用の電波を送受信することにより移動体の位置を測定する屋内測位システムによる測位結果を管理する位置管理システムであって、
位置管理装置を備え、
この位置管理装置は、
前記屋内測位システムで測定された各時刻の測定位置情報を記憶部に蓄積し、
前記移動機が配置された評価地点の位置に関する評価位置情報を取得し、
前記移動機が評価地点に配置されていた評価時間に関する評価時間情報を取得し、
前記評価時間情報に基づいて、前記記憶部に蓄積された各時刻の前記測定位置情報から、前記評価時間に含まれる時刻の前記測定位置情報を評価地点の測定位置情報として抽出し、
前記評価地点の測定位置情報と前記評価位置情報とを比較して、評価地点における測位結果の信頼性に関する評価結果情報を生成することを特徴とする位置管理システム。
【請求項２】
さらに、前記移動体としての作業者が所持する評価条件入力装置を備え、
前記評価条件入力装置は、
測位エリアの地図を表示し、
その地図上で評価地点の位置を入力する作業者の操作を応じて、前記評価位置情報を取得することを特徴とする請求項１に記載の位置管理システム。
【請求項３】
前記評価条件入力装置は、
評価地点ごとに前記評価時間を入力する作業者の操作を応じて、前記評価時間情報を取得することを特徴とする請求項２に記載の位置管理システム。
【請求項４】
前記評価条件入力装置は、
タブレット端末であり、評価条件入力アプリケーションがインストールされることを特徴とする請求項２に記載の位置管理システム。
【請求項５】
前記位置管理装置は、
前記評価結果情報として、評価地点が測位不良地点か否かに関する情報を生成することを特徴とする請求項１に記載の位置管理システム。
【請求項６】
前記位置管理装置は、
前記評価地点の測定位置情報と前記評価位置情報とを比較して、測定誤差を取得し、
その測定誤差に基づいて、各時刻の前記測定位置情報の異常を判定し、
その判定結果に基づいて、評価地点での異常出現率を算出し、
その異常出現率に基づいて、評価地点が測位不良地点か否かを判定することを特徴とする請求項５に記載の位置管理システム。
【請求項７】
前記位置管理装置は、
前記評価結果情報に基づいて、測位エリアの地図上に測位不良エリアを表示する評価結果画面を生成して、その評価結果画面を表示装置に表示させることを特徴とする請求項１に記載の位置管理システム。
【請求項８】
移動体に保持させた移動機と測位エリアに設置された固定機との間で測位用の電波を送受信することにより移動体の位置を測定する屋内測位システムによる測位結果を管理する位置管理方法であって、
前記屋内測位システムで測定された各時刻の測定位置情報を記憶部に蓄積し、
前記移動機が配置された評価地点の位置に関する評価位置情報を取得し、
前記移動機が評価地点に配置されていた評価時間に関する評価時間情報を取得し、
前記評価時間情報に基づいて、前記記憶部に蓄積された各時刻の前記測定位置情報から、前記評価時間に含まれる時刻の前記測定位置情報を評価地点の測定位置情報として抽出し、
前記評価地点の測定位置情報と前記評価位置情報とを比較して、評価地点における測位結果の信頼性に関する評価結果情報を生成することを特徴とする位置管理方法。
【発明の詳細な説明】
【技術分野】
【０００１】
本発明は、屋内測位システムで測定された位置情報を管理する位置管理システムおよび位置管理方法に関するものである。
【背景技術】
【０００２】
近年、ＧＰＳ（Global Positioning System）などの衛星測位システムを利用して、人物などの移動体の現在位置を測定する技術が広く普及している。また、衛星測位システムは、屋外で利用できるが、衛星電波が届かない屋内では利用できないため、様々な測定原理による屋内測位システムが提案されている。
【０００３】
このような屋内測位システムに関する技術として、人物が所持する受信機と、測位エリアに設置された発信機との間で、測位用の電波を送受信することにより、人物の現在位置を測定して、端末（スマートフォン）において、地図上に人物の現在位置を表示する技術が知られている（特許文献１参照）。
【先行技術文献】
【特許文献】
【０００４】
【特許文献１】国際公開第２０１７／１５４８０６号
【発明の概要】
【発明が解決しようとする課題】
【０００５】
さて、移動体としての人物の位置情報を定期的に取得すると、その位置情報に基づいて人物の動線を取得することができ、この動線に基づいて人物の行動に関する分析を行うことができる。例えば、従業員、作業者、顧客などの人物の動線を取得して、その人物の行動に関する分析を行うと、その分析結果を業務の効率化やマーケティングなどに活用することができる。
【０００６】
一方、測位エリア内に存在する壁、柱、棚などの障害物により、測位用の電波の反射や遮蔽が発生すると、測位用の電波を適切に受信できなくなり、十分な精度の測位結果が得られない測位不良が発生することがある。この場合、正確な動線を取得できないため、誤った分析結果が得られ、分析に支障が生じる。特に、測位用の電波の反射や遮蔽の状況は地点ごとに異なり、どこで測位不良が発生しているかわからない。そこで、各地点の測位結果の信頼性を評価して、どこで測位不良が発生しているかを把握できるようにする技術が望まれる。
【０００７】
しかしながら、前記従来の技術では、屋内測位システムの測位結果の信頼性に関する考慮はなんらなされておらず、屋内測位システムの測位結果の信頼性を評価できないという問題があった。
【０００８】
そこで、本発明は、屋内測位システムによる各地点の測位結果の信頼性を効率よく評価することができる位置管理システムおよび位置管理方法を提供することを主な目的とする。
【課題を解決するための手段】
【０００９】
本発明の位置管理システムは、移動体に保持させた移動機と測位エリアに設置された固定機との間で測位用の電波を送受信することにより移動体の位置を測定する屋内測位システムによる測位結果を管理する位置管理システムであって、位置管理装置を備え、この位置管理装置は、前記屋内測位システムで測定された各時刻の測定位置情報を記憶部に蓄積し、前記移動機が配置された評価地点の位置に関する評価位置情報を取得し、前記移動機が評価地点に配置されていた評価時間に関する評価時間情報を取得し、前記評価時間情報に基づいて、前記記憶部に蓄積された各時刻の前記測定位置情報から、前記評価時間に含まれる時刻の前記測定位置情報を評価地点の測定位置情報として抽出し、前記評価地点の測定位置情報と前記評価位置情報とを比較して、評価地点における測位結果の信頼性に関する評価結果情報を生成する構成とする。
【００１０】
また、本発明の位置管理方法は、移動体に保持させた移動機と測位エリアに設置された固定機との間で測位用の電波を送受信することにより移動体の位置を測定する屋内測位システムによる測位結果を管理する位置管理方法であって、前記屋内測位システムで測定された各時刻の測定位置情報を記憶部に蓄積し、前記移動機が配置された評価地点の位置に関する評価位置情報を取得し、前記移動機が評価地点に配置されていた評価時間に関する評価時間情報を取得し、前記評価時間情報に基づいて、前記記憶部に蓄積された各時刻の前記測定位置情報から、前記評価時間に含まれる時刻の前記測定位置情報を評価地点の測定位置情報として抽出し、前記評価地点の測定位置情報と前記評価位置情報とを比較して、評価地点における測位結果の信頼性に関する評価結果情報を生成する構成とする。
【発明の効果】
【００１１】
本発明によれば、屋内測位システムによる各地点の測位結果の信頼性を効率よく評価することができる。そして、その評価結果情報を分析者に提示することで、誤った分析が行われることを避けることができる。
【図面の簡単な説明】
【００１２】
【図１】本実施形態に係る屋内測位システムおよびその位置管理システムの全体構成図
【図２】作業者の評価条件入力作業の状況を示す説明図
【図３】屋内測位システムの測位原理を示す説明図
【図４】測位サーバ３の概略構成を示すブロック図
【図５】タブレット端末５の概略構成を示すブロック図
【図６】タブレット端末５に表示される評価条件入力画面を示す説明図
【図７】タブレット端末５の動作手順を示すフロー図
【図８】管理サーバ６の概略構成を示すブロック図
【図９】管理サーバ６で処理される各種の情報を示す説明図
【図１０】管理者端末７に表示される評価結果画面を示す説明図
【図１１】管理サーバ６の動作手順を示すフロー図
【発明を実施するための形態】
【００１３】
前記課題を解決するためになされた第１の発明は、移動体に保持させた移動機と測位エリアに設置された固定機との間で測位用の電波を送受信することにより移動体の位置を測定する屋内測位システムによる測位結果を管理する位置管理システムであって、位置管理装置を備え、この位置管理装置は、前記屋内測位システムで測定された各時刻の測定位置情報を記憶部に蓄積し、前記移動機が配置された評価地点の位置に関する評価位置情報を取得し、前記移動機が評価地点に配置されていた評価時間に関する評価時間情報を取得し、前記評価時間情報に基づいて、前記記憶部に蓄積された各時刻の前記測定位置情報から、前記評価時間に含まれる時刻の前記測定位置情報を評価地点の測定位置情報として抽出し、前記評価地点の測定位置情報と前記評価位置情報とを比較して、評価地点における測位結果の信頼性に関する評価結果情報を生成する構成とする。
【００１４】
これによると、屋内測位システムによる各地点の測位結果の信頼性を効率よく評価することができる。そして、その評価結果情報を分析者に提示することで、誤った分析が行われることを避けることができる。
【００１５】
また、第２の発明は、さらに、前記移動体としての作業者が所持する評価条件入力装置を備え、前記評価条件入力装置は、測位エリアの地図を表示し、その地図上で評価地点の位置を入力する作業者の操作を応じて、前記評価位置情報を取得する構成とする。
【００１６】
これによると、評価位置情報を効率よく取得することができる。なお、この場合、作業者は、移動機とともに評価条件入力装置を所持して評価地点の位置で立ち止まり、現在位置を評価地点の位置として入力する操作を行えばよい。
【００１７】
また、第３の発明は、前記評価条件入力装置は、評価地点ごとに前記評価時間を入力する作業者の操作を応じて、前記評価時間情報を取得する構成とする。
【００１８】
これによると、評価時間情報を効率よく取得することができる。なお、この場合、作業者は、評価地点の位置で立ち止まったままで、現在時刻を評価時間（例えば、評価開始時刻および評価終了時刻）として入力する操作を行えばよい。
【００１９】
また、第４の発明は、前記評価条件入力装置は、タブレット端末であり、評価条件入力アプリケーションがインストールされる構成とする。
【００２０】
これによると、汎用的なタブレット端末で必要な操作および情報生成を行うことができる。
【００２１】
また、第５の発明は、前記位置管理装置は、前記評価結果情報として、評価地点が測位不良地点か否かに関する情報を生成する構成とする。
【００２２】
これによると、管理者が、どこで測位不良が発生しているかを把握することができる。
【００２３】
また、第６の発明は、前記位置管理装置は、前記評価地点の測定位置情報と前記評価位置情報とを比較して、測定誤差を取得し、その測定誤差に基づいて、各時刻の前記測定位置情報の異常を判定し、その判定結果に基づいて、評価地点での異常出現率を算出し、その異常出現率に基づいて、評価地点が測位不良地点か否かを判定する構成とする。
【００２４】
これによると、評価地点が測位不良地点か否かを精度よく判定することができる。
【００２５】
また、第７の発明は、前記位置管理装置は、前記評価結果情報に基づいて、測位エリアの地図上に測位不良エリアを表示する評価結果画面を生成して、その評価結果画面を表示装置に表示させる構成とする。
【００２６】
これによると、管理者が、どこで測位不良が発生しているかを容易に把握することができる。
【００２７】
また、第８の発明は、移動体に保持させた移動機と測位エリアに設置された固定機との間で測位用の電波を送受信することにより移動体の位置を測定する屋内測位システムによる測位結果を管理する位置管理方法であって、前記屋内測位システムで測定された各時刻の測定位置情報を記憶部に蓄積し、前記移動機が配置された評価地点の位置に関する評価位置情報を取得し、前記移動機が評価地点に配置されていた評価時間に関する評価時間情報を取得し、前記評価時間情報に基づいて、前記記憶部に蓄積された各時刻の前記測定位置情報から、前記評価時間に含まれる時刻の前記測定位置情報を評価地点の測定位置情報として抽出し、前記評価地点の測定位置情報と前記評価位置情報とを比較して、評価地点における測位結果の信頼性に関する評価結果情報を生成する構成とする。
【００２８】
これによると、第１の発明と同様に、屋内測位システムによる各地点の測位結果の信頼性を効率よく評価することができる。
【００２９】
以下、本発明の実施の形態を、図面を参照しながら説明する。
【００３０】
図１は、本実施形態に係る屋内測位システムおよびその位置管理システムの全体構成図である。
【００３１】
屋内測位システムは、測位対象となる移動体（人物や各種の装置）の位置を測定するものであり、発信機１（移動機）と、受信機２（固定機）と、測位サーバ３（測位装置）と、を備えている。
【００３２】
発信機１は、移動体に保持される。この発信機１は、測位用の電波（ビーコン）を発信する。
【００３３】
受信機２は、測位エリア内の適所に複数設置される。この受信機２は、発信機１から送信される測位用の電波を受信する。
【００３４】
測位サーバ３は、ＰＣ（情報処理装置）で構成される。この測位サーバ３は、受信機２による測位用の電波の受信状況に基づいて、移動体（発信機１）の位置を測定する。
【００３５】
位置管理システムは、タブレット端末５（評価条件入力装置）と、管理サーバ６（位置管理装置）と、管理者端末７（表示装置）と、を備えている。
【００３６】
タブレット端末５は、作業者（移動体）が発信機１とともに所持する。このタブレット端末５には、作業者が現在位置を評価位置として入力する評価条件入力アプリケーションがインストールされる。なお、タブレット端末５の代わりにスマートフォンやノート型ＰＣなどを用いるようにしてもよい。
【００３７】
管理サーバ６は、ＰＣ（情報処理装置）で構成される。この管理サーバ６は、測位サーバ３から取得した作業者（移動体）の測定位置情報と、タブレット端末５から取得した評価位置情報とに基づいて、測位エリア内の各地点における測位結果の信頼性（精度）を評価する処理を行う。
【００３８】
管理者端末７は、管理者が操作するものである。この管理者端末７では、測位結果の信頼性に関する評価結果情報が管理サーバ６から配信され、管理者が評価結果を確認することができる。なお、管理者端末７は、ＰＣやタブレット端末とすればよいが、管理サーバ６に接続されるモニタに評価結果を表示するようにしてもよい。
【００３９】
次に、図２も用いて作業者の評価条件入力作業について説明する。図２は、作業者の評価条件入力作業の状況を示す説明図である。
【００４０】
作業者は、発信機１とタブレット端末５とを所持する。タブレット端末５には、測位エリア（現場）の地図が表示される。作業者は、タブレット端末５に表示された地図を参照して測定エリア内を移動し、評価地点に到達すると、その位置で立ち止まり、タブレット端末５で現在位置を評価位置として入力する操作を行う。また、作業者は、評価時間（評価開始時刻および評価終了時刻）を入力する操作を行う。このとき、作業者は、評価時間の間、評価地点に静止したままとする。作業者は、複数の評価地点に順次移動しながら、評価地点ごとに、評価位置および評価時間を入力する操作を繰り返す。タブレット端末５では、作業者の入力操作で取得した評価位置情報および評価時間情報を管理サーバ６に送信する。
【００４１】
なお、評価地点は、所定間隔（例えば１ｍ）をおいて設定すればよい。また、障害物が多く電波状況が悪いと想定される地点を評価地点に設定するようにしてもよい。
【００４２】
また、測位エリアには、受信機２が設置されている。受信機２は、作業者が所持する発信機１からの測位用の電波を受信すると、電波情報（測位用の電波の受信状況に関する情報）を測位サーバ３に送信し、測位サーバ３では、電波情報に基づいて作業者（発信機１）の位置情報を取得して、その位置情報を管理サーバ６に送信する。
【００４３】
管理サーバ６では、タブレット端末５から受信した評価時間情報に基づいて、評価時間に測定された発信機１の位置情報（測定位置情報）、すなわち、発信機１が評価地点に配置された状態で測定された位置情報を、測位サーバ３から取得した発信機１の位置情報の中から抽出する。そして、タブレット端末５から取得した評価位置情報と測定位置情報とを比較して測定誤差を算出して、その測定誤差に基づいて、各評価地点での測位結果の信頼性を評価し、各評価地点が測位不良地点か否かを判定する。
【００４４】
次に、屋内測位システムの測位原理について説明する。図３は、屋内測位システムの測位原理を示す説明図である。
【００４５】
測位エリアには複数の受信機２が設置されており、各受信機２において、移動体に保持された発信機１が発信する電波を受信する。このとき、各受信機２で電波到来方向を検出して、その電波到来方向と基準方向とのなす電波到来角度α，βを算出すると、この電波到来角度α，βは発信機１の位置に応じて変化することから、電波到来角度α，βと、受信機２の位置情報とに基づいて、発信機１の位置を推定することができる。
【００４６】
このような屋内測位システムでは、発信機１から直接到来する電波（直接波）を受信機２が受信する他に、壁や柱などで反射した電波（反射波）を受信機２が受信する場合があり、受信機２では直接波と反射波とを識別できないため、反射波に基づいて測位が行われると、誤った測位結果が得られる。
【００４７】
また、発信機１と受信機２と間に障害物があると、受信機２で発信機１の電波を受信できないため、測位ができなくなる。また、発信機１の近傍にある受信機２で発信機１の電波を受信できない場合でも、発信機１から遠く離れた受信機２で発信機１の電波を受信することで、測位ができる場合もあるが、この場合、電波到来角度の精度が低くなるため、精度の高い測位結果が得られない。
【００４８】
なお、本実施形態では、屋内測位システムにおいて、発信機１が発信する測位用の電波を受信機２で受信したときの電波到来角度に基づいて測位を行うようにしたが、このような測位原理に限定されるものではなく、公知の測位原理を採用すればよい。また、本実施形態では、発信機１（移動機）が移動体（人物など）に保持され、受信機２（固定機）が測位エリア内の適所に複数設置されるが、発信機と受信機とが逆となる場合がある。すなわち、発信機が測位エリア内の適所に複数設置され、受信機が移動体に保持される場合がある。
【００４９】
次に、測位サーバ３の概略構成について説明する。図４は、測位サーバ３の概略構成を示すブロック図である。
【００５０】
測位サーバ３は、入出力部１１と、通信部１２と、記憶部１３と、制御部１４と、を備えている。
【００５１】
入出力部１１は、受信機２に接続される。本実施形態では、受信機２から出力される電波情報（電波到来角度など）が入力される。
【００５２】
通信部１２は、管理サーバ６との間で通信を行う。本実施形態では、制御部１４で取得した測定位置情報を管理サーバ６に送信する。
【００５３】
記憶部１３は、受信機２の位置情報を記憶する。また、記憶部１３は、制御部１４を構成するプロセッサで実行されるプログラムなどを記憶する。
【００５４】
制御部１４は、測位部２１を備えている。この制御部１４は、プロセッサで構成され、測位部２１は、記憶部１３に記憶されたプログラムをプロセッサで実行することで実現される。
【００５５】
測位部２１は、受信機２から取得した電波情報（電波到来角度など）と、記憶部１３に記憶された受信機２の位置情報とに基づいて、発信機１の位置を推定して、発信機１の位置情報（測定位置情報）を取得する。
【００５６】
次に、タブレット端末５の概略構成について説明する。図５は、タブレット端末５の概略構成を示すブロック図である。
【００５７】
タブレット端末５は、通信部３１と、表示入力部３２と、記憶部３３と、制御部３４と、を備えている。
【００５８】
通信部３１は、管理サーバ６との間で通信を行う。本実施形態では、制御部３４で取得した評価位置情報（評価地点の位置情報）および評価時間情報（評価開始時刻および評価終了時刻）を管理サーバ６に送信する。
【００５９】
表示入力部３２は、表示パネル３５とタッチパネル３６とを一体化したタッチパネルディスプレイで構成される。
【００６０】
記憶部３３は、測位エリアの地図情報および座標情報を記憶する。また、記憶部３３は、制御部３４を構成するプロセッサで実行されるプログラムなどを記憶する。
【００６１】
制御部３４は、地図登録部４１と、表示制御部４２と、入力制御部４３と、評価位置取得部４４と、評価時間取得部４５と、を備えている。この制御部３４は、プロセッサで構成され、制御部３４の各部は、記憶部３３に記憶されたプログラム（評価条件入力アプリケーション）をプロセッサで実行することで実現される。
【００６２】
地図登録部４１は、測定エリアの地図情報および座標情報を評価条件入力アプリケーションに登録する。地図情報は、測定エリアのレイアウトを表す配置図などの画像情報である。座標情報は、表示パネル３５に表示された地図上の位置を表す座標と、測定エリア（現場）内の位置を表す座標とを対応付ける情報である。この地図登録処理は、事前に行われ、地図情報および座標情報が記憶部３３に記憶される。
【００６３】
表示制御部４２は、評価条件入力画面（図６参照）を表示パネル３５に表示する。このとき、記憶部３３に記憶された地図情報に基づいて、測定エリアの地図を評価条件入力画面に表示する。
【００６４】
入力制御部４３は、タッチパネル３６上で作業者がタッチ操作した位置（タッチ位置）を検出して、そのタッチ位置に基づいて、作業者による画面操作を検知する。本実施形態では、評価地点の位置を入力する操作や、評価時間（評価開始時刻および評価終了時刻）を入力するボタン操作を検知する。
【００６５】
評価位置取得部４４は、入力制御部４３において評価地点の位置を入力する操作を検知すると、そのときのタッチ位置に基づいて、評価地点の位置情報（評価位置情報）を取得する。このとき、記憶部３３に記憶された座標情報に基づいて、画面上のタッチ位置の座標から、測定エリア（現場）内の評価地点の座標を取得する。
【００６６】
評価時間取得部４５は、入力制御部４３において評価時間を入力するボタン操作を検知すると、そのボタン操作に応じて、評価時間情報（評価開始時刻および評価終了時刻）を取得する。
【００６７】
次に、タブレット端末５に表示される評価条件入力画面について説明する。図６は、タブレット端末５に表示される評価条件入力画面を示す説明図である。
【００６８】
タブレット端末５では、評価条件入力画面が表示パネル３５に表示される。この評価条件入力画面は、作業者が評価条件として、評価地点の位置および評価時間（評価開始時刻および評価終了時刻）を入力するものであり、この評価条件入力画面には、地図表示部５１と、評価開始ボタン５２と、評価終了ボタン５３と、経過時間表示部５４と、が設けられている。
【００６９】
地図表示部５１には、測定エリアの地図（現地マップ）が表示される。地図上の任意の位置をタッチ操作すると、その位置（タッチ位置）が評価地点の位置として入力され、評価地点の位置を表すマーク５５が地図上に表示される。また、マーク５５の近傍には、評価地点の座標が記載された表示枠５６が表示される。これにより、入力した評価地点の位置に誤りがないかを作業者が確認することができる。
【００７０】
評価開始ボタン５２を操作すると、現在時刻が評価開始時刻に設定され、評価開始時刻からの経過時間の計時が開始される。評価終了ボタン５３を操作すると、経過時間の計時を終了して、現在時刻が評価終了時刻に設定される。なお、経過時間の計時を開始すると、評価開始ボタン５２がグレーアウト表示されて操作不能となり、経過時間の計時を終了すると、評価終了ボタン５３がグレーアウト表示されて操作不能となる。
【００７１】
経過時間表示部５４には、評価開始ボタン５２を操作した時点（評価開始時刻）からの経過時間が表示される。作業者は、経過時間表示部５４に表示される時間が評価時間に達すると、評価終了ボタン５３を操作する。これにより、作業者が任意の長さの評価時間を入力することができる。
【００７２】
なお、本実施形態では、評価終了ボタン５３を操作するタイミングにより、評価時間（評価開始時刻から評価終了時刻までの時間）を調整することができる。また、評価時間が一定である場合には、評価開始ボタン５２を操作した時点（評価開始時刻）から評価時間が経過した時点を評価終了時刻としてもよい。この場合、評価終了ボタン５３を省略することができる。また、地図上で評価地点の位置を入力した時点を評価開始時刻としてもよい。この場合、評価開始ボタン５２を省略することができる。
【００７３】
次に、タブレット端末５の動作手順について説明する。図７は、タブレット端末５の動作手順を示すフロー図である。
【００７４】
タブレット端末５では、まず、作業者が評価条件入力アプリケーションを起動する操作を行うと、表示制御部４２において、評価条件入力画面（図６参照）を表示パネル３５に表示する（ＳＴ１０１）。このとき、記憶部３３に記憶された地図情報に基づいて、評価条件入力画面上に測位エリアの地図を表示する。作業者は、評価条件入力画面に表示された測位エリアの地図を参照して、評価地点まで移動し、評価地点に到着すると、地図上の評価地点の位置をタッチ操作して、評価地点の位置を入力する。
【００７５】
ここで、入力制御部４３において、作業者による評価地点の位置を入力する操作を検知すると（ＳＴ１０２でＹｅｓ）、評価位置取得部４４において、作業者が入力した評価地点の位置情報（評価位置情報）を取得する（ＳＴ１０３）。
【００７６】
次に、表示制御部４２において、評価地点の位置を表すマーク５５を評価条件入力画面上に表示する（ＳＴ１０４）。ここで、作業者は、評価位置に誤りがないかを確認する。
【００７７】
次に、入力制御部４３において、作業者による評価開始ボタン５２（図６参照）の操作を検知すると（ＳＴ１０５でＹｅｓ）、評価時間取得部４５において、現在時刻を評価開始時刻として取得する（ＳＴ１０６）。このとき、評価時間取得部４５において、評価開始ボタン５２を操作した時点（評価開始時刻）からの経過時間の計時を開始し、表示制御部４２において、評価条件入力画面上に経過時間を表示する。
【００７８】
次に、入力制御部４３において、作業者による評価終了ボタン５３の操作を検知すると（ＳＴ１０７でＹｅｓ）、評価時間取得部４５において、現在時刻を評価終了時刻として取得する（ＳＴ１０８）。このとき、作業者は、評価条件入力画面に表示された経過時間を確認して、経過時間が評価時間に達したタイミングで評価終了ボタン５３を操作する。
【００７９】
次に、通信部３１において、評価位置取得部４４で取得した評価位置情報と、評価時間取得部４５で取得した評価時間情報（評価開始時刻および評価終了時刻）とを管理サーバ６に送信する（ＳＴ１０９）。
【００８０】
以上の処理は、全ての評価地点での処理が完了するまで繰り返される。
【００８１】
次に、管理サーバ６の概略構成について説明する。図８は、管理サーバ６の概略構成を示すブロック図である。図９は、管理サーバ６で処理される各種の情報を示す説明図である。
【００８２】
図８に示すように、管理サーバ６は、通信部６１と、記憶部６２と、制御部６３と、を備えている。
【００８３】
通信部６１は、測位サーバ３、タブレット端末５、および管理者端末７との間で通信を行う。本実施形態では、測位サーバ３から常時定期的に送信される各時刻の測定位置情報を受信する（図９（Ａ）参照）。また、タブレット端末５から送信される評価位置情報および評価時間情報（評価開始時刻および評価終了時刻）を受信する（図９（Ｂ）参照）。また、制御部６３で生成した評価結果画面（図１０参照）の表示情報を管理者端末７に送信する。
【００８４】
記憶部６２は、測位サーバ３から受信した測定位置情報を逐次蓄積する。また、記憶部６２は、タブレット端末５から受信した評価位置情報および評価時間情報（評価開始時刻および評価終了時刻）を記憶する。また、記憶部６２は、制御部６３を構成するプロセッサで実行されるプログラムなどを記憶する。
【００８５】
制御部６３は、測定位置情報抽出部７１と、信頼性評価部７２と、評価結果提示部７３と、を備えている。この制御部６３は、プロセッサで構成され、制御部６３の各部は、記憶部６２に記憶されたプログラムをプロセッサで実行することで実現される。
【００８６】
測定位置情報抽出部７１は、評価時間情報に基づいて、記憶部６２に蓄積された各時刻の測定位置情報の中から、評価時間に含まれる時刻の測定位置情報を、評価地点の測定位置情報として抽出する。この評価地点の測定位置情報は、発信機１が評価地点に配置された状態で測定された発信機１の位置情報である。
【００８７】
信頼性評価部７２は、評価地点ごとの測位結果の信頼性を評価するものであり、測定誤差取得部８１と、測定異常判定部８２と、統計処理部８３と、測位不良地点判定部８４と、を備えている。
【００８８】
測定誤差取得部８１は、測定位置情報抽出部７１で取得した評価地点の測定位置情報と、タブレット端末５から取得した評価位置情報とに基づいて、各時刻の測定位置情報の測定誤差を取得する。具体的には、次式のように、測定誤差ε、すなわち、測定位置（ＸＭ，ＹＭ）と評価位置（ＸＥ，ＹＥ）とのずれ量を算出する。これにより、図９（Ｃ）に示すように、各時刻の測定位置情報の測定誤差が得られる。
【数１】
2020041919.tif 000003
【００８９】
測定異常判定部８２は、測定誤差取得部８１で取得した各時刻の測定位置情報の測定誤差に基づいて、各時刻の測定位置情報が異常か否かを判定する。具体的には、測定誤差を所定のしきい値と比較して、測定誤差がしきい値以上となる場合に、異常と判定する。これにより、図９（Ｃ）に示すように、各時刻の測定位置情報が異常か否かの判定結果が得られる。
【００９０】
なお、この測定位置情報の異常の判定基準となるしきい値は、適宜に設定すればよいが、例えば、しきい値を通常誤差の４倍とすると、通常誤差が０．５ｍである場合には、しきい値は２ｍに設定される。
【００９１】
統計処理部８３は、測定異常判定部８２の判定結果に基づいて、評価時間に含まれる全ての時刻の測定位置情報のうち、異常と判定された測定位置情報の占める割合（異常出現率）を評価地点ごとに算出する。これにより、図９（Ｄ）に示すように、評価地点ごとの異常出現率が得られる。この異常出現率は、評価地点の測位結果の信頼性を評価する評価基準となる。
【００９２】
測位不良地点判定部８４は、統計処理部８３で取得した評価地点ごとの異常出現率に基づいて、評価地点の測位結果の信頼性を評価する。本実施形態では、測位結果の信頼性に関する評価として、各評価地点が、信頼性の高い測位結果が得られる地点（測位良好地点）か、信頼性の高い測位結果が得られない地点（測位不良地点）かを判定する。具体的には、異常出現率を所定のしきい値と比較して、異常出現率がしきい値以上となる場合に、測位不良地点と判定する。これにより、図９（Ｄ）に示すように、評価地点ごとの評価結果が得られる。
【００９３】
なお、この測位不良地点の判定基準となるしきい値は、適宜に設定すればよいが、例えば３０％とする。ここで、例えば、評価時間を１分間とし、測定間隔を１秒間とした場合、評価時間内に測定が６０回行われ、６０個の測定位置情報が得られるが、このうちの２０個の測定位置情報が異常とすると、異常出現率は３３．３％となり、しきい値の３０％以上となるため、測位不良地点と判定する。
【００９４】
また、本実施形態では、測位エリアを格子状に分割した評価単位エリア（図１０参照）ごとに測位結果の信頼性を評価する。すなわち、各評価単位エリアが、信頼性の高い測位結果が得られるエリア（測位良好エリア）か、信頼性の高い測位結果が得られないエリア（測位不良エリア）かを判定する。これにより、図９（Ｅ）に示すように、評価単位エリアごとの評価結果が得られる。
【００９５】
このとき、１つの評価単位エリアに１つの評価地点がある場合には、その評価地点の異常出現率を評価単位エリアの異常出現率に採用する。一方、１つの評価単位エリアに複数の評価地点がある場合には、評価地点ごとの異常出現率を平均化して、評価単位エリアの異常出現率を取得すればよい。また、評価地点ごとの異常出現率のうちの最大値を評価単位エリアの異常出現率に採用するようにしてもよい。
【００９６】
評価結果提示部７３は、信頼性評価部７２の評価結果に基づいて、評価結果画面（図１０参照）を生成して、その評価結果画面の表示情報を通信部６１から管理者端末７に送信する。これにより、管理者端末７で評価結果画面が表示され、管理者が評価結果を確認することができる。
【００９７】
次に、管理者端末７に表示される評価結果画面について説明する。図１０は、管理者端末７に表示される評価結果画面を示す説明図である。
【００９８】
管理者端末７では、管理サーバ６から配信される評価結果画面が表示される。この評価結果画面では、測位エリアの地図上に評価単位エリアごとの評価結果が表示される。図１０に示す例では、信頼性の高い測位結果が得られるエリア（測位良好エリア）と、信頼性の高い測位結果が得られないエリア（測位不良エリア）とが、色分けして表示される。これにより、管理者が、測位良好エリアと測位不良エリアとを即座に判別することができる。
【００９９】
なお、本実施形態では、評価単位エリアごとの評価結果を測位エリアの地図上に表示するようにしたが、評価結果の一覧表（図９（Ｅ）参照）を表示するようにしてもよい。
【０１００】
次に、管理サーバ６の動作手順について説明する。図１１は、管理サーバ６の動作手順を示すフロー図である。
【０１０１】
管理サーバ６では、図１１（Ａ）に示すように、通信部６１において、測位サーバ３から送信される測定位置情報を受信すると（ＳＴ２０１）、その測定位置情報を記憶部６２に蓄積する（ＳＴ２０２）。このとき、測位サーバ３では、常時、所定の時間間隔で定期的に発信機１の測位を行って、各時刻の測定位置情報を順次送信し、管理サーバ６では、各時刻の測定位置情報を逐次受信する。
【０１０２】
また、管理サーバ６では、図１１（Ｂ）に示すように、通信部６１において、タブレット端末５から送信される各評価地点の評価位置情報および評価時間情報（評価開始時刻および評価終了時刻）を受信すると（ＳＴ２１１）、その評価位置情報および評価時間情報を記憶部６２に蓄積する。
【０１０３】
なお、各評価地点の評価位置情報および評価時間情報は、各評価地点での作業者の入力操作に応じてタブレット端末５から管理サーバ６に逐次送信されるようにしてもよいが、全ての評価地点での作業者の入力操作が終了した後に、全ての評価地点の評価位置情報および評価時間情報をまとめて送信するようにしてもよい。また、評価位置情報および評価時間情報を適宜な記憶媒体を介してタブレット端末５から管理サーバ６に転送するようにしてもよい。
【０１０４】
次に、測定位置情報抽出部７１において、評価時間情報に基づいて、記憶部６２に蓄積された各時刻の測定位置情報の中から、評価時間に含まれる時刻の測定位置情報を、評価地点の測定位置情報として抽出する（ＳＴ２１２）。
【０１０５】
次に、測定誤差取得部８１において、評価地点ごとに、各時刻の測定位置情報と評価位置情報とに基づいて、各時刻の測定位置情報の測定誤差を取得する（ＳＴ２１３）。
【０１０６】
次に、測定異常判定部８２において、評価地点ごとに、各時刻の測定位置情報の測定誤差に基づいて、各時刻の測定位置情報が異常か否かを判定する（ＳＴ２１４）。
【０１０７】
次に、統計処理部８３において、評価地点ごとに、異常な測定位置情報が出現する割合（異常出現率）を算出する（ＳＴ２１５）。この異常出現率は、評価時間に含まれる全ての時刻の測定位置情報のうち、異常と判定された測定位置情報の占める割合である。
【０１０８】
次に、測位不良地点判定部８４において、評価地点ごとの異常出現率に基づいて、各評価地点が測位不良地点か否かを判定する（ＳＴ２１６）。このとき、測位エリアを格子状に分割した評価単位エリアごとの評価結果を提示する場合には、各評価単位エリアに含まれる評価地点ごとの異常出現率に基づいて、各評価単位エリアが測位不良エリアか否かを判定する。
【０１０９】
次に、評価結果提示部７３において、評価地点（評価単位エリア）ごとの評価結果を表示する評価結果画面（図１０参照）を生成して、その評価結果画面の表示情報を通信部６１から管理者端末７に送信する（ＳＴ２１７）。これにより、管理者端末７に評価結果画面が表示され、管理者が評価結果を確認することができる。
【０１１０】
このように本実施形態では、屋内測位システムの測位結果の信頼性に関する評価結果を、管理者や分析者に提示することができる。このため、評価結果を考慮して分析を行う、例えば、測位不良地点の測位結果を分析対象から除外することで、誤った分析が行われることを避けることができる。また、屋内測位システムを導入して、その運用を開始する際に、各地点の測位結果の信頼性を評価することで、受信機２の増設や設置位置の変更などの屋内測位システムの見直しが可能になり、測位不良地点が少ない屋内測位システムを構築することができる。
【０１１１】
ところで、本実施形態では、作業者が評価地点に立ち止まって、現在位置を評価位置としてタブレット端末５に入力するようにしたが、タブレット端末５により、評価位置で立ち止まるように作業者に指示するようにしてもよい。具体的には、評価位置の順番を予め設定しておき、順番にしたがってタブレット端末５で評価位置を指示し、作業者は、指示された評価位置で立ち止まって評価時間（評価開始時刻および評価終了時刻）を入力する操作を行う。このようにしても、評価位置ごとの評価時間の情報を取得することができる。
【０１１２】
また、タブレット端末５により、予め設定された評価時間（評価開始時刻から評価終了時刻までの間）に評価位置で立ち止まるように作業者に指示するようにしてもよい。この場合、評価時間（評価開始時刻および評価終了時刻）をタブレット端末５に表示するとともに、タブレット端末５に現在時刻を表示し、作業者は、指示された評価位置で立ち止まり、現在時刻を見ながら、指示された評価時間の間中、その位置に立ち止まったままの状態を保持する。
【０１１３】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０１１４】
本発明に係る位置管理システムおよび位置管理方法は、屋内測位システムによる各地点の測位結果の信頼性を効率よく評価することができる効果を有し、屋内測位システムで測定された位置情報を管理する位置管理システムおよび位置管理方法などとして有用である。
【符号の説明】
【０１１５】
１  発信機（移動機）
２  受信機（固定機）
３  測位サーバ（測位装置）
５  タブレット端末（評価条件入力装置）
６  管理サーバ（位置管理装置）
７  管理者端末（表示装置）
１１  入出力部
１２  通信部
１３  記憶部
１４  制御部
２１  測位部
３１  通信部
３２  表示入力部
３３  記憶部
３４  制御部
６１  通信部
６２  記憶部
６３  制御部
【図１】
2020041919.tif 000004
【図２】
2020041919.tif 000005
【図３】
2020041919.tif 000006
【図４】
2020041919.tif 000007
【図５】
2020041919.tif 000008
【図６】
2020041919.tif 000009
【図７】
2020041919.tif 000010
【図８】
2020041919.tif 000011
【図９】
2020041919.tif 000012
【図１０】
2020041919.tif 000013
【図１１】
2020041919.tif 000014